(57)【要約】【課題】本発明は、パッチアイコンのサイズに応じて色差値の出力形式を選択するとともに、パッチアイコンとその色差値との対応関係を識別しやすくできる表示制御装置および制御方法を提供することを目的とする。【解決手段】本発明の表示制御方法は、分光反射率特性に係る第１のデータ群と第２のデータ群から算出される複数の色差値を複数のパッチアイコンとして表示するアイコン表示ステップを含む。また、表示制御方法は、各パッチアイコンが表す色差値を、パッチアイコンの表示領域内に数値表示する第１の表示形式と数値表示する第２の表示形式のいずれかの形式で数値表示する数値表示ステップを含む。【選択図】図２
2007208529.tif 000002
【特許請求の範囲】
【請求項１】
分光反射率特性に係る第１のデータ群と第２のデータ群から算出される複数の色差値を複数のパッチアイコンとして表示するアイコン表示ステップと、
各パッチアイコンが表す色差値を、該パッチアイコンの表示領域内に数値表示する第１の表示形式と該パッチアイコンの表示領域と独立して前記複数のパッチアイコンの表示領域上に数値表示する第２の表示形式のいずれかの形式で数値表示する数値表示ステップと
を含むことを特徴とする表示制御方法。
【請求項２】
前記数値表示ステップでは、各パッチアイコンが表す色差値をポップアップウインドウにより数値表示することを特徴とする請求項１に記載の表示制御方法。
【請求項３】
複数の前記パッチアイコンのうち、前記第２の表示形式で前記色差値を表示する対象となるパッチアイコンを選択するための選択ステップをさらに含み、
前記アイコン表示ステップでは、前記選択ステップにおいて選択された前記パッチアイコンが表す色差値を前記第２の表示形式で数値表示することを特徴とする請求項１に記載の表示制御方法。
【請求項４】
前記選択ステップでは、複数のパッチアイコンのうち、隣接した２以上のパッチアイコンを選択することを特徴とする請求項３に記載の表示制御方法。
【請求項５】
前記選択ステップでは、複数のパッチアイコンのうち、隣接していない２以上のパッチアイコンを選択することを特徴とする請求項３に記載の表示制御方法。
【請求項６】
前記アイコン表示ステップでは、前記選択ステップにおいて選択された前記パッチアイコンが表す色差値を数値表示してから、予め決められた時間が経過した場合に前記色差値の数値表示を解除することを特徴とする請求項３乃至５の何れかに記載の表示制御方法。
【請求項７】
前記アイコン表示ステップでは、前記選択ステップにおいて選択された前記パッチアイコンが表す色差値を数値表示した後で、該数値表示を解除するための解除指示が入力された場合に前記色差値の数値表示を解除することを特徴とする請求項３乃至５の何れかに記載の表示制御方法。
【請求項８】
前記パッチアイコンは、
色差値の大きさに応じて色分けされていることを特徴とする請求項１乃至７の何れかに記載の表示制御方法。
【請求項９】
分光反射率特性に係る第１のデータ群と第２のデータ群から算出される複数の色差値を複数のパッチアイコンとして表示するアイコン表示部と、
各パッチアイコンが表す色差値を、該パッチアイコンの表示領域内に数値表示する第１の表示形式と該パッチアイコンの表示領域と独立して前記複数のパッチアイコンの表示領域上に数値表示する第２の表示形式のいずれかの形式で数値表示する数値表示部と
を含むことを特徴とする表示制御装置。
【請求項１０】
コンピュータで実行可能な制御プログラムであって、
分光反射率特性に係る第１のデータ群と第２のデータ群から算出される複数の色差値を複数のパッチアイコンとして表示するアイコン表示ステップと、
各パッチアイコンが表す色差値を、該パッチアイコンの表示領域内に数値表示する第１の表示形式と該パッチアイコンの表示領域と独立して前記複数のパッチアイコンの表示領域上に数値表示する第２の表示形式のいずれかの形式で数値表示する数値表示ステップと
を実行することを特徴とする制御プログラム。
【発明の詳細な説明】
【技術分野】
【０００１】
本発明は、画像形成装置等における色の再現性を評価する表示制御装置、表示制御方法および制御プログラムに関する。
【背景技術】
【０００２】
プリンタ、ファクシミリ、モニタ等のカラー画像を取り扱う種々の画像出力装置では、本来、色の再現性が統一されていることが望ましい。そこで、従来、各画像出力装置での色の再現性を統一させるため、出力結果に対して色の評価および補正が実施されてきた。
【０００３】
特許文献１は、特定の色領域における個別評価をおこなう色評価装置を開示している。特に、特許文献１の記載の発明は、肌色領域、赤色領域、緑色領域および青色領域などの個別領域ごとに色評価をおこなう。
【０００４】
特許文献２は、デバイスにより印刷された印刷物等の測定データと過去の測定データとを比較することにより、このデバイスについて客観的に色補正を実行する技術を開示している。オペレータの目視による色評価方法と比較すると、特許文献２の色評価方法は、個人差による不要な色補正を低減させるのに有効である。
【特許文献１】特開２００５−９１００５号公報
【特許文献２】特開平５−２３１９４１号公報
【発明の開示】
【発明が解決しようとする課題】
【０００５】
上述した従来技術では、印刷物の色差値の表示方法として、パッチ数の多少に関わらずパッチに対応したパッチアイコン内に色差値を表示させる方法が採用されている。また、従来技術は、パッチそれぞれに対する色差値をグラフ化するとともに、色差Δａ＊、Δｂ＊等を座標上に表示させることで、色の偏りを詳細に表している。
【０００６】
しかしながら、このような従来技術においては、次のような問題点がある。まず、色差値をパッチアイコンの表示領域内に表示させる出力形式では、測定されるパッチの数が多くなるにつれて、１つあたりのパッチアイコンの表示領域が狭くなってゆく。仮に、狭くなった表示領域内に色差値の全体を表示させようとして、フォントサイズを小さくしてしまうと、色差値の識別が困難になりうる。反対に、色差値のフォントサイズを大きくしたとしても、表示領域自体は狭いままなので、色差値を完全に表示させることはできない。
【０００７】
本発明は、上述の問題に鑑みてなされたものであり、パッチアイコンのサイズに応じて色差値の出力形式を選択するとともに、パッチアイコンとその色差値との対応関係を識別しやすくできる表示制御装置および制御方法を提供することを目的とする。
【課題を解決するための手段】
【０００８】
本発明の表示制御方法は、分光反射率特性に係る第１のデータ群と第２のデータ群から算出される複数の色差値を複数のパッチアイコンとして表示するアイコン表示ステップを含む。また、表示制御方法は、各パッチアイコンが表す色差値を、パッチアイコンの表示領域内に数値表示する第１の表示形式とパッチアイコンの表示領域と独立して複数のパッチアイコンの表示領域上に数値表示する第２の表示形式を有する。さらに、制御プログラムは、第１および第２の表示形式のいずれかの形式で数値表示する数値表示ステップを含む。
【０００９】
また、本発明の表示制御装置は、分光反射率特性に係る第１のデータ群と第２のデータ群から算出される複数の色差値を複数のパッチアイコンとして表示するアイコン表示部を含む。また、表示制御装置は、各パッチアイコンが表す色差値を、パッチアイコンの表示領域内に数値表示する第１の表示形式とパッチアイコンの表示領域と独立して複数のパッチアイコンの表示領域上に数値表示する第２の表示形式を有する。さらに、制御プログラムは、第１および第２の表示形式のいずれかの形式で数値表示する数値表示部を含む。
【００１０】
また、本発明の制御プログラムは、分光反射率特性に係る第１のデータ群と第２のデータ群から算出される複数の色差値を複数のパッチアイコンとして表示するアイコン表示ステップを含む。また、制御プログラムは、各パッチアイコンが表す色差値を、パッチアイコンの表示領域内に数値表示する第１の表示形式パッチアイコンの表示領域と独立して複数のパッチアイコンの表示領域上に数値表示する第２の表示形式を有する。さらに、制御プログラムは、第１および第２の表示形式のいずれかの形式で数値表示する数値表示ステップを実行する。
【発明の効果】
【００１１】
本発明は、色差値の表示形式を切り替え可能とすることで、パッチアイコンとその色差値との対応関係を識別しやすくすることができる。
【発明を実施するための最良の形態】
【００１２】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１３】
本発明に係る色評価システムは、異なるデバイスからそれぞれ出力されたパッチを測色し、その測色結果から色差を算出して出力する。本来であれば、色差が０となることが理想的である。なお、パッチとは、色の差を評価するために用意される測色対象物である。また、測色時には、異なるデバイスによってそれぞれ複数のパッチが印刷された２つの印刷物が使用される。なお、印刷されているパッチの配置は、２つの印刷物間で同一である。すなわち、パッチを形成するためのオリジナルの画像データは、異なるデバイス間で同一のものが使用される。
【００１４】
図１は、本実施形態による測色時のシステム構成を示す図である。なお、本実施形態に係る画像出力装置の一例として、ここではプリンタが採用されている。しかしながら、本発明に係る画像出力装置は、デジタルカラー画像を取り扱う、例えば、プリンタ、ファクシミリ、カラーモニタ等であればよい。
【００１５】
本実施形態に係るシステム構成は、測色機１０１、色評価装置１０２、プリンタ１０３、１０４およびインタフェース１０５を含む。測色機１０１は、測定対象物の濃度や絶対色度といった分光反射率特性を測定する装置である。測色機１０１は、色評価装置１０２から命令を受けて対象印刷物の色を光学的に測色し、測色結果である測色データを色評価装置１０２に送信する。測色データは、例えば、ＸＹＺ表色系の３刺激値（Ｘ（赤）、Ｙ（緑）、Ｚ（青））、濃度もしくはＬＣＨ値（Ｌ（明度）、Ｃ（彩度）、Ｈ（色相））、またはＬ＊ａ＊ｂ＊表色系の値（Ｌ＊（明度）、ａ＊（赤−緑の軸）、ｂ＊（黄−青の軸））等である。
【００１６】
色評価装置１０２は、プリンタ１０３、１０４からそれぞれ出力されたパッチ間の色差値を決定して出力する装置である。色評価装置１０２は、測色機１０１に測色の命令を出し、測色機１０１が予め測色して色評価装置内に記憶されているリファレンスデータと測色データとの色差値を決定する。もちろん、リファレンスデータとしては、何れかのプリンタについての測色データが採用されてもよいことはいうまでもない。
【００１７】
プリンタ１０３、１０４は、上述したように複数のパッチを出力するものであって、出力した結果からインクやトナーの調整がなされる。なお、プリンタ１０３、１０４は、同一の画像データを用いてそれぞれパッチを印刷する。すなわち、双方のプリンタが使用する画像データにおいて、ＣＭＹＫ（シアン、マゼンダ、イエロー、ブラック）やＲＧＢ（赤、緑、青）などの各画像情報は何れも同一となる。
【００１８】
ところで、複数の異なるデバイス（例えば、プリンタ１０３、１０４）が同一の画像データを使用したとしても、同一の出力結果が得られるとは限らない。なぜなら、デバイス間で、色の再現性が一致しないことがあるからである。そこで、本実施形態は、異なったデバイスからの出力結果を測色機１０１で測定し、測定結果に基づいて色差値を決定して出力する。これにより、デバイスの個体差をオペレータが把握できるようにする。例えば、色差値の結果に基づいてデバイスを調整することで、出力デバイスの個体差を低減させることが可能となる。
【００１９】
本実施形態では、同一のデバイスカラーデータでプリンタ１０３およびプリンタ１０４のそれぞれから出力されたパッチの色差を比較する。なお、プリンタ１０３およびプリンタ１０４は、インタフェース１０５を介して接続されている。しかしながら、本実施形態に係るシステム構成は、インタフェース１０５を介して接続されている必要はなく、外部のプリンタから出力されたパッチや外部の測色機による測色データを比較対象にするようにしてもよい。
【００２０】
図２は、本実施形態による色評価装置の概要を表した図である。ここでは、本発明に関する主要な部分についてのみ説明が記載される。
【００２１】
色評価装置１０２は、システム制御部２０１および記憶部２０２を含む。なお、色評価装置１０２には、測色機１０１、プリンタ１０３、１０４、入力装置２１２および表示装置２１３が接続される。また、システム制御部２０１は、選択部２０３、決定部２０４、測色部２０５、表示出力部２０６および表示切替部２０７を含む。記憶部２０２は、プリンタ１０３から印字されたパッチの測色データＡ２０８およびプリンタ１０４から印字されたパッチの測色データＢ２０９を含む。さらに、記憶部２０２は、本実施形態における色評価装置１０２を制御するためのプログラム２１０およびＲＡＭ２１１を含む。ＲＡＭ２０２は、システム制御部２０１が計算に使うデータを測色データ２０８、２０９から取り出して一時的に記憶するものである。
【００２２】
測色部２０５は、プリンタ１０３、１０４で印刷された印刷物を測色機１０１で測色し、測色データを記憶部２０２へ格納する。また、決定部２０４は、異なるデバイスから印刷されたパッチの色差値を測色データ２０８、２０９を用いて決定する。なお、システム制御部２０１は、測色機１０１で測色した測色データと記憶部２０２へ予め記憶されたリファレンスデータとから決定部２０４で色差値を決定し、その結果を記憶部２０２へ格納するようにしてもよい。
【００２３】
表示出力部２０６は、各パッチの位置にそれぞれ対応したパッチアイコンと、パッチアイコン上へ決定部２０４によって決定された色差値とを表示装置２１３へ出力する。すなわち、１つのパッチにつき、１つのパッチアイコンが出力される。表示切替部２０７は、パッチアイコンのサイズ、例えば、パッチアイコンの一辺の長さに応じて色差値の表示形式を切り替える。色差値の出力形式としては、例えば、パッチアイコンの表示領域内に色差値の情報を表示する第１の表示形式と、パッチアイコンの表示領域と独立してポップアップ表示により色差値の情報を表示する第２の表示形式とを有する。
【００２４】
選択部２０３は、入力装置２１２を通じてオペレータから色評価装置１０２へと入力される情報を認識する。例えば、オペレータが第２の表示形式で色差値を表示したい場合に、表示装置２１３上に表示された所望のパッチアイコンが入力装置２１２の操作に応じて選択される。すなわち、入力装置２１２から入力された情報に基づいて、選択部２０３は、オペレータにより選択されたパッチアイコンを特定する。その後、表示出力部２０６は、選択部２０３によって特定されたパッチアイコンに対応する色差値を表示装置２１３へ出力する。
【００２５】
図３は、本実施形態による異なるプリンタから出力された印刷物の一例を示す図である。なお、本実施形態では、各パッチに対応するパッチパターンを二次元配列して出力する例を挙げる。しかしながら、本発明に係るパッチパターンの表示形式は、二次元配列による表示形式にのみ限定されるわけではない。
【００２６】
印刷物３０１および印刷物３０２には、格子状に配置された複数のカラーパッチ３０５が印刷される。カラーパッチ３０５は、行方向３０３、列方向３０４の組み合わせで配置される。各行や各列を区別するために、例えば、図３に示すように行方向３０３は数字、列方向３０４はアルファベットが付されてもよい。各パッチの位置は、例えば、１Ａというような座標情報によって特定される。測色機１０１は、測色の際、パッチ１つずつに対して測色を実施する。なお、印刷物３０１に印刷される各パッチの位置は、印刷物３０２に印刷される各パッチの位置と同じである。
【００２７】
測色部２０５は、測色機１０１を制御して、例えば、印刷物３０１に印刷されたカラーパッチ３０５から測色をおこなう。測色終了後、システム制御部２０１は、測色データを測定データＡ２０８として記憶部２０２に格納する。次に、測色部２０５は、印刷物３０２に印刷されたカラーパッチ３０５を測色し、測色データを測色データＢ２０９として記憶部２０２へ格納する。
【００２８】
その後、決定部２０４は、対応するパッチ同士ごとの測色データを比較して色差値を決定する。決定された色差値は、記憶部２０２へ格納される。
【００２９】
図４は、本実施形態による測色データに含まれる情報の一例を示した図である。なお、ここでは、本実施形態で扱われる情報の中で主要なものの一部を例として挙げる。
【００３０】
測色データは、パッチの行数４０１、測色日時４０２、１つのパッチが持つ情報数４０３、パッチが持つ情報の種類４０４、測色したパッチの数４０５および各パッチの情報４０６を含む。パッチの行数４０１は、プリンタ１０３、１０４から印刷された二次元のパッチの行数を表す。測色日時４０２は、測色した日時を表す。
【００３１】
パッチが持つ情報の種類４０４には、パッチＩＤ、ＲＧＢ、ＸＹＺ表色系およびＬ＊ａ＊ｂ＊表色系の各情報、あるいは濃度、ＬＣＨ、スペクトラムデータ等が含まれる。なお、パッチＩＤは、１Ａ、２Ａなど図３に示すパッチの行方向３０３および列方向３０４を特定するための識別情報である。すなわち、パッチＩＤによって、印刷されたパッチの位置が特定される。パッチの数４０５は、パッチの総数を表している。パッチの情報４０６には、パッチごとの測色データが含まれている。
【００３２】
図４によれば、Ａ列に属する測定データのみが示されているが、これは、測色データの一部が例示されているに過ぎない。もちろんＢ列からＨ列までの各要素も存在することはいうまでもない。すなわち、測色対象物である複数のパッチ全てについて、それぞれ対応する測色データが含まれている。
【００３３】
図５は、本実施形態による色評価装置の測色機に対する測色制御を示すフローチャートである。ステップＳ５０１において、測色部２０５は、測色機１０１の初期化をおこなう。次に、ステップＳ５０２において、測色部２０５は、測色対象のパッチ上まで測色機１０１を移動させるか否かを判定する。測色機１０１は、例えば、ＸＹステージに取り付けられており、測色部２０５からの移動命令に応じてＸ軸Ｙ軸方向に移動可能となっている。移動させる場合、ステップＳ５０３において、測色部２０５は、測色機１０１へ移動先の位置（座標データなど）を有する移動コマンドを送信する。その後、測色部２０５は、処理をステップＳ５０２へ遷移する。
【００３４】
一方、測色機２０５を移動させない場合、ステップＳ５０４において、測色部２０５は、パッチの読み取りをおこなうか否かを判定する。ここで、測色部２０５は、測色機１０１の位置情報から測色機１０１が既に読み取られたパッチ上に存在する場合、または測色対象のパッチ上に移動していない場合、読み取り制御をおこなわない。読み取りをさせる場合、測色部２０５は、測色機１０１にパッチを測色させるため、読み取り制御をおこなう。読み取り制御についての詳細な説明は、図６を用いて後述する。なお、読み取り制御後、測色部２０５は、処理をステップＳ５０２に遷移する。測色機１０１に読み取りをさせない場合、測色部２０５は処理を終了する。なお、測色部２０５は、全てのパッチを測色するまでステップＳ５０２からＳ５０５までの処理を繰り返す。
【００３５】
図６は、本実施形態による色評価装置の測色機に対するパッチの読み取り制御を示すフローチャートである。
【００３６】
ステップＳ６０１において、測色部２０５は、複数ある絶対色度のうち、測色機１０１から受信する対象となる絶対色度を決定する。次に、ステップＳ６０２において、測色部２０５は、決定した絶対色度を読み取るコマンドを測色機１０１に対して送信する。ステップＳ６０３において、測色部２０５は、パッチから読み取った測色データを測色機１０１から受信し、読み取り制御を終了する。読み取り制御終了後、測色部２０５は、測色機１０１から受信した測色データを記憶部２０２へ格納するようにしてもよい。この記憶部２０２に格納された測色データは、比較対象となるパッチが測色された際のリファレンスデータとなる。なお、比較対象となるパッチの測色についても同様の読み取り制御となる。
【００３７】
図７は、本実施形態による色評価装置が色差値を決定する制御を示すフローチャートである。ここでは、決定部２０４による色差値を決定する制御について説明するが、図６を用いて説明した測色制御の中でおこなうようにしてもよい。
【００３８】
ステップＳ７０１において、決定部２０４は、測色機１０１から受信すべき測色データがあるか否かを判定する。例えば、決定部２０４は、測色部２０５からの情報（測色機１０１の測色完了／未完了を示す状態フラグなど）に基づいて判定を実行する。この場合、決定部２０４は、測色機１０１へ測色データがあるか否かを直接問い合わせてもよい。判定の結果、受信すべき測色データがある場合、ステップＳ７０２に進み、決定部２０４は、測色機１０１から測色データを受信する。一方、受信すべきデータが無い場合、決定部２０４は、色差値の決定制御を終了する。
【００３９】
次に、ステップＳ７０３において、決定部２０４は、図５に示す測色制御処理によって測色されて記憶部２０２に予め記憶されているリファレンスデータを読み出す。さらに、決定部２０４は、比較対象の測色データと、記憶部２０２から読み出された対応する測色データとを比較して色差値を決定する。最後に、ステップＳ７０４において、決定部２０４は、決定された色差値と対応するパッチの位置とを記憶部２０２へ格納する。決定部２０４は、全てのパッチの色差値を決定するまでステップＳ７０１からステップＳ７０４を繰り返し、受信する測色データがなくなった場合に処理を終了する。
【００４０】
図８は、本実施形態による測色結果を出力する制御を示すフローチャートである。ステップＳ８０１において、表示出力部２０６は、記憶部２０２から各パッチの位置、色差値および絶対色度を読み出す。さらに、ステップＳ８０２において、表示出力部２０６は、全パッチについて、それぞれ対応するパッチアイコンを配置する。次に、ステップＳ８０３において、表示切替部２０７は、表示出力部２０６によって配置されたパッチアイコンの幅と、当該パッチアイコンに対応する測色データのテキストサイズ（フォントサイズなど）とを比較する。
【００４１】
パッチアイコンの幅がテキストサイズよりも大きい場合、ステップＳ８０４において、表示切替部２０７は、第１の表示形式で色差値を表示するように制御する。第１の表示形式は、パッチアイコンの表示領域内に色差値を表示させる表示形式である。
【００４２】
一方、パッチアイコンの幅とテキストサイズが等しいか、またはパッチアイコンの幅の方が小さい場合、ステップＳ８０５において、表示切替部２０７は、第２の表示形式で色差値を表示するように制御する。第２の表示形式は、パッチアイコンの表示領域と独立して複数のパッチアイコンの表示領域上に色差値の情報を表示させる表示形式である。なお、第２の表示形式は、オペレータにより入力装置２１２を介して何れかのパッチアイコンが選択されたときに適用されることが好ましい。
【００４３】
これにより、総パッチ数が多いために色差値の表示が困難な場合であっても、本実施形態に係る色評価装置は、色差値を識別可能な状態で表示できる。前述したように、本来、オペレータが全てのパッチの各色差値を一度に確認できる方が好ましい。そのため、パッチアイコンの表示領域内で色差値を好適に表示可能であれば、本色評価装置は、第１の出力形式で表示するように出力形式を選択してもよい。
【００４４】
図９は、本実施形態による表示画面の全体を示す図である。図９に示すように、本色評価装置は、各パッチアイコンを色分けして表示している。各色は、決定部２０４で決定された色差値を分類するための複数の閾値に対応している。なお、システム制御部２０１は、どの範囲をどの色で出力するかを、オペレータにより入力された情報に従って決定してもよい。例えば、色差値が０．０以上５．０以下となるパッチアイコンを水色で表示する。色差値が５．１以上１０．０以下となるパッチアイコンを青色で表示する。色差値が１０．１以上１５．０以下となるパッチアイコンを黄色で表示する。色差値が１５．１以上２０．０以下となるパッチアイコンを赤色で表示する。このように、色差値を５．０刻みで色分けするようにしてもよい。これにより、オペレータは、色差値の違いを視覚的に認識しやすくなろう。
【００４５】
オペレータは、表示形式を選択するためのプルダウンメニュー９０１を通じて、誤差表示（色差値）と、絶対色度等の表示とを選択できる。また、オペレータは、色差式を選択するためのプルダウンメニュー９０２を通じて、ΔＥ、ΔＬ＊、Δａ＊、Δｂ＊、ΔＬ、ΔＣおよびΔＨのいずれかを選択できる。色差式のプルダウンメニュー９０２を通じて選択された色差式に基づいて、決定部２０４は、色差を算出する。なお、色差ΔＥは、例えば、以下の式などに基づいて決定される。
ΔＥ＝√（（ΔＬ＊）２＋（Δａ＊）２＋（Δｂ＊）２）
なお、各色差値のテキストサイズを十分視認できるほどパッチアイコンの出力サイズが大きければ、図９に示すように、色差値を示すテキストデータは第１の出力形式により表示される。
【００４６】
以下では、図１０から図１７を用いて第２の表示形式に関して説明する。なお、ここでは、本実施形態に係る入力装置として、マウスを例に挙げ説明を記載する。しかしながら、本発明による入力装置としては、表示装置上に表示されたポインタを操作できるのであれば、どのようなポインティングデバイスでも採用可能である。
【００４７】
図１０は、本実施形態による表示画面の全体を示す図である。図１０に示すように、パッチの総数が多いため、パッチアイコンの幅が色差値を示すテキストサイズよりも小さくなり、パッチアイコン表示領域内に色差値を十分視認できる程度に表示できない。そのため、ここでは、パッチまたは対応するパッチアイコンの総数が予め定められた閾値を超える場合、第２の表示形式で色差値を出力する発明について説明する。なお、このような場合には、選択されていないパッチアイコンについては、色差値の表示が省略されることが好ましいだろう。十分に視認できない情報を表示する意味は乏しく、また無駄が多いからである。
【００４８】
ポインタ１００１は、オペレータによってマウス等で操作されるものである。拡大表示窓１００２は、オペレータによって操作されたポインタ１００１が表示装置上に表示された何れかのパッチアイコン上へ移動させられた場合、該当するパッチアイコンの色差値が表示される。なお、拡大表示窓１００２は、該当する１つのパッチアイコンの表示領域とは独立してポップアップ表示される。これにより、色差値を示すテキストが十分認識可能なサイズで拡大表示窓１００２内に表示されることになる。さらに、一旦表示された拡大表示窓１００２は、一定時間経過した後に表示が解除される。すなわち、拡大表示窓１００２は、自動的に表示画面から消去されてもよい。また、ポインタ１００１が該当するパッチアイコンおよび拡大表示窓１００２の表示領域上から移動された場合に、表示出力部２０６は、拡大表示窓１００２の表示を解除してもよい。
【００４９】
図１１は、本実施形態による色差値の表示制御を示すフローチャートである。ステップＳ１１０１において、選択部２０３は、オペレータの操作によって移動されたポインタ１００１の座標データを決定する。ステップＳ１１０２において、選択部２０３は、決定された座標データに基づいて、ポインタ１００１が位置する座標上にパッチアイコンが表示されているか否かを判定する。パッチアイコンが表示されていない場合、選択部２０３は、周期的にポインタ１００１の座標データを取得する。その後、パッチアイコンの表示が確認された場合、選択部２０３は、処理をステップＳ１１０３に遷移する。
【００５０】
ステップＳ１１０３において、表示出力部２０６は、該当するパッチの色差値を記憶部２０２から読み出して、拡大表示窓１００２と、色差値とを表示する。この時、色差値は、拡大表示窓１００２の表示領域内に表示される。また、ステップＳ１１０４において、表示出力部２０６は、拡大表示窓１００２を表示させてから一定時間経過しているか否かを、一定時間経過するまで繰り返し判定する。最後に、ステップＳ１１０５において、表示出力部２０６は、拡大表示窓１００２および色差値を表示してから一定時間経過した後、表示していた拡大表示窓１００２および色差値の表示を解除する。
【００５１】
図１２は、本実施形態による表示画面の一部を示す拡大図である。ここでは、オペレータによって隣接する複数のパッチアイコンが選択される場合について説明を記載する。
【００５２】
選択領域１２０１は、オペレータがマウス等を使用して表示されているポインタ１００１をドラッグ操作することにより選択された領域である。すなわち、選択領域１２０１に含まれている１以上のパッチアイコンがオペレータにより選択されたものと、選択部が認識する。また、拡大表示窓１００２は、オペレータによって選択された複数のパッチアイコンの位置に対応して各パッチの色差値１２０２が表示される。
【００５３】
図１３は、本実施形態による色差値の表示制御を示すフローチャートである。ステップＳ１３０１において、選択部２０３は、オペレータがドラッグ操作したことを表す情報を入力装置２１２から受信して選択領域１２０１を認識し、認識された選択領域に１２０１に含まれる１以上のパッチアイコンを特定する。なお、２以上パッチアイコンが選択されたときに、本発明の価値が高めることはいうまでもない。
【００５４】
ステップＳ１３０２において、表示出力部２０６は、選択された各パッチアイコンに対応する色差値を記憶部２０２から読み出し、読み出された各色差値を対応するそれぞれの拡大表示窓１００２に表示する。なお、各拡大表示窓１００２は、どのパッチアイコンに対応するかが認識できるような位置に表示されることはいうまでもない。
【００５５】
ステップＳ１３０３において、選択部２０３は、オペレータによって拡大表示窓１００２の表示領域内が右クリックされたか否かを判定する。右クリックされた場合、ステップＳ１３０４において、表示出力部２０６は、拡大表示窓１００２および色差値の表示を解除する。もちろん、表示出力部２０６は、拡大表示窓１００２が表示されてからの経過時間をカウンタによりカウントし、一定時間が経過すると、拡大表示窓１００２の表示を解除するようにしてもよい。この場合、右クリックが不要となり利点がある。
【００５６】
図１４は、本実施形態による表示画面の全体を示す図である。図１４に示すように、パッチアイコンと色差値を拡大して表示した拡大表示窓１００２は、オペレータの右クリックによって閉じられない限り、複数同時に表示させることが可能である。
【００５７】
また、本実施形態による表示画面は、選択領域チャート１４０１を含むようにしてもよい。選択領域チャート１４０１は、現在表示されている拡大表示窓１００２に対応するパッチアイコンが全パッチアイコンに対してどのような位置に存在するかを、オペレータに認識させやすくするために提供される。選択領域チャート１４０１における選択領域枠１４０２は、現在表示されている拡大表示窓１００２に対応するパッチアイコンの位置を表している。なお、複数の選択領域枠１４０２は、視認性を向上させるために色分けされることが好ましい。これにより、オペレータは、複数の拡大表示窓１００２が重なっていたとしても、どのパッチアイコンについて色差値を拡大表示させているかを容易に把握しうる。
【００５８】
図１５は、本実施形態による表示画面の一部を示す図である。ここでは、オペレータによって右クリックされた特定のパッチアイコンに対応するパッチの色差値を表示する場合について説明する。これにより、隣接していない複数のパッチアイコンが選択可能となる。
【００５９】
図１５に示すように、オペレータが任意のパッチアイコンを右クリックによって選択した場合、表示出力部２０６は、選択されたパッチアイコンに対応する色差値を記憶部２０２から読み出して拡大表示窓１００２内に表示する。なお、拡大表示窓１００２は、選択されたパッチアイコンの表示領域と独立した、色差値のテキストサイズに合わせた表示領域を有する。
【００６０】
図１６は、本実施形態による色差値の表示制御を示すフローチャートである。ステップＳ１６０１において、選択部２０３は、オペレータによって選択されたパッチアイコンを入力装置からの情報により特定する。次に、ステップＳ１６０２において、表示出力部２０６は、選択されたパッチアイコンに対応する色差値を記憶部２０２から読み出して拡大表示窓１００２および色差値を出力する。
【００６１】
ステップＳ１６０３において、選択部２０３は、オペレータによって拡大表示窓１００２の表示領域内が右クリックされたか否かを判定する。すなわち、選択部２０３は、右クリックの有無を監視する。右クリックされた場合、ステップＳ１６０４において、表示出力部２０６は、拡大表示窓１００２および色差値の表示を解除する。
【００６２】
図１７は、本実施形態による出力画面の全体を示す図である。図１７に示すように拡大表示窓１００２は、複数同時に表示させることができる。これにより、隣接しない複数のパッチアイコンが選択可能である。したがって、オペレータは、選択した１つのパッチごとに色差値を把握しうる。
【００６３】
なお、オペレータは、異なるプリンタ１０３、１０４から印刷されたパッチの色差を評価する場合、複数の情報によってパッチを比較する必要がある。これは、表色系が種々存在し、かつ、各表色系において色を表すパラメータも種々存在するからである。そのため、本発明は、測色結果として複数の色差値および絶対色度を含み、これらの情報の種別を選択するようにしてもよい。これにより、オペレータは、複数の色差値および絶対色度の中から所望の情報を選択しうる。
【００６４】
図１８および図１９は、本実施形態による表示画面において色差値の種別を選択する様子を示す図である。図１８では、ΔＥの情報が選択され、該当する色差値に応じて各パッチアイコンが色分けされた様子を示す。また、図１９においては、ΔＬが選択され、色分けされている。
【００６５】
色差値選択窓１８０１は、情報の種別を示すテキスト１８０２およびテキスト１８０２に対応した選択ボタン１８０３を有する。選択ボタン１８０３は、例えば、ラジオボタンによって実現可能である。オペレータは、所望の色差値を選択する場合、色差値の種別を示すテキスト１８０２に対応した選択ボタン１８０３をクリックすることで容易に選択することができる。また、本発明に係る色評価装置は、この選択された色差値に従い本実施形態における第１または第２の表示形式で色差値を表示する。
【００６６】
以上説明したように、本実施形態に係る表示制御方法によれば、分光反射率特性に係る第１のデータ群と第２のデータ群から算出される複数の色差値を複数のパッチアイコンとして表示するアイコン表示ステップを含む。また、表示制御方法は、各パッチアイコンが表す色差値を、パッチアイコンの表示領域内に数値表示する第１の表示形式とパッチアイコンの表示領域と独立して複数のパッチアイコンの表示領域上に数値表示する第２の表示形式を有する。さらに、制御プログラムは、第１および第２の表示形式のいずれかの形式で数値表示する数値表示ステップを含む。したがって、色評価の際、予め定められた数を超えるパッチを扱ったとしても、表示装置に表示されるパッチアイコンのサイズに応じて適切な表示形式で色差値を表示しうる。よって、表示結果の視認性が向上しうる。
【００６７】
なお、本発明は上記実施形態に限らず様々な変形が可能となる。例えば、本実施形態における表示制御方法は、数値表示ステップでは、各パッチアイコンが表す色差値をポップアップウインドウにより数値表示するようにしてもよい。これにより、パッチアイコンの表示サイズに応じて、第２の表示形式では、個別のパッチに対する色差値の視認性が向上しうる。よって、パッチまたはパッチアイコンの総数に応じて最適な表示形式で表示をおこなうため測色結果の視認性が向上しうる。
【００６８】
また、本実施形態における表示制御方法は、複数のパッチアイコンのうち、第２の表示形式で色差値を表示する対象となるパッチアイコンを選択するための選択ステップをさらに含むようにしてもよい。この場合、アイコン表示ステップは、選択ステップにおいて選択されたパッチアイコンが表す色差値を第２の表示形式で数値表示するようにしてもよい。これにより、アイコン表示ステップは、選択されたパッチアイコンに対応する色差値を第２の表示形式で表示することができる。したがって、オペレータの所望の情報が容易に取得できるため、ユーザフレンドリーな操作体系が提供される利点がある。
【００６９】
また、本実施形態における選択ステップは、複数のパッチアイコンのうち、隣接するまたは隣接していない２以上のパッチアイコンを選択するようにしてもよい。したがって、オペレータは、同時に複数のパッチアイコンが選択可能であるため、所望の複数のパッチにおける色差値を比較しうる。よって、オペレータによる色評価の効率が向上しうる。
【００７０】
また、本実施形態におけるアイコン表示ステップは、選択ステップにおいて選択されたパッチアイコンが表す色差値を数値表示してから、予め決められた時間が経過した場合に色差値の数値表示を解除するようにしてもよい。これにより、オペレータによる操作が省略できるため、操作性が向上しうる。
【００７１】
また、本実施形態におけるアイコン表示ステップは、選択ステップにおいて選択されたパッチアイコンが表す色差値を数値表示した後で、数値表示を解除するための解除指示が入力された場合に色差値の数値表示を解除するようにしてもよい。これにより、複数の色差値の表示を同時に表示できるため、表示結果の視認性が向上しうる。
【００７２】
さらに、本実施形態におけるパッチアイコンは、対応する色差値の大きさに応じて色分けされるようにしてもよい。これにより、色で色差値の度合いが判別できるため、視認性が向上しうる。
【００７３】
［他の実施形態］
以上、様々な実施形態を詳述したが、本発明は、複数の機器から構成されるシステムに適用してもよいし、また、一つの機器からなる装置に適用してもよい。例えば、プリンタ、ファクシミリ、ＰＣ、サーバとクライアントとを含むコンピュータシステムなどの如くである。
【００７４】
本発明は、前述した実施形態の各機能を実現するソフトウェアプログラムを、システム若しくは装置に対して直接または遠隔から供給し、そのシステム等に含まれるコンピュータが該供給されたプログラムコードを読み出して実行することによっても達成される。
【００７５】
従って、本発明の機能・処理をコンピュータで実現するために、該コンピュータにインストールされるプログラムコード自体も本発明を実現するものである。つまり、上記機能・処理を実現するためのコンピュータプログラム自体も本発明の一つである。
【００７６】
その場合、プログラムの機能を有していれば、オブジェクトコード、インタプリタにより実行されるプログラム、ＯＳに供給するスクリプトデータ等、プログラムの形態を問わない。
【００７７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００７８】
また、プログラムは、クライアントコンピュータのブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【００７９】
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【００８０】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【００８１】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【００８２】
【図１】本実施形態による測色時のシステム構成を示す図である。
【図２】本実施形態による色評価装置の概要を表した図である。
【図３】本実施形態による異なるプリンタから出力された印刷物を示す図である。
【図４】本実施形態による測色データに含まれる情報を表した図である。
【図５】本実施形態による色評価装置の測色機に対する測色制御を示すフローチャートである。
【図６】本実施形態による色評価装置の測色機に対するパッチの読み取り制御を示すフローチャートである。
【図７】本実施形態による色評価装置が色差値を決定する制御を示すフローチャートである。
【図８】本実施形態による測色結果を出力する制御を示すフローチャートである。
【図９】本実施形態による表示画面の全体を示す図である。
【図１０】本実施形態による表示画面の全体を示す図である。
【図１１】本実施形態による色差値の表示制御を示すフローチャートである。
【図１２】本実施形態による表示画面の一部を示す拡大図である。
【図１３】本実施形態による色差値の表示制御を示すフローチャートである。
【図１４】本実施形態による表示画面の全体を示す図である。
【図１５】本実施形態による表示画面の一部を示す図である。
【図１６】本実施形態による色差値の表示制御を示すフローチャートである。
【図１７】本実施形態による表示画面の全体を示す図である。
【図１８】本実施形態による表示画面において色差値の種別を選択する様子を示す図である。
【図１９】本実施形態による表示画面において色差値の種別を選択する様子を示す図である。
【符号の説明】
【００８３】
１０１：測色機
１０２：色評価装置
１０３、１０４：プリンタ
２０１：システム制御部
２０２：記憶部
２０３：選択部
２０４：決定部
２０５：測色部
２０６：表示出力部
２０７：表示切替部
２０８：測色データＡ
２０９：測色データＢ
２１０：プログラム
２１１：ＲＡＭ
２１２：入力装置
２１３：表示装置
【図１】
2007208529.tif 000003
【図２】
2007208529.tif 000004
【図４】
2007208529.tif 000005
【図５】
2007208529.tif 000006
【図６】
2007208529.tif 000007
【図７】
2007208529.tif 000008
【図８】
2007208529.tif 000009
【図１１】
2007208529.tif 000010
【図１３】
2007208529.tif 000011
【図１６】
2007208529.tif 000012
【図３】
2007208529.tif 000013
【図９】
2007208529.tif 000014
【図１０】
2007208529.tif 000015
【図１２】
2007208529.tif 000016
【図１４】
2007208529.tif 000017
【図１５】
2007208529.tif 000018
【図１７】
2007208529.tif 000019
【図１８】
2007208529.tif 000020
【図１９】
2007208529.tif 000021